(57)【特許請求の範囲】
【請求項１】
複数の光ファイバの先端部に設けられる光接続器であって、
複数の光ファイバの先端部に設けられるプラスチック製の接続器本体と、前記複数の光ファイバに被せて前記接続器本体に取り付ける弾性材製のブーツとを有し、前記接続器本体は、光ファイバから取り出した各光ファイバの裸ファイバを位置決めするための調心手段、及び、前記複数の光ファイバに被せた前記ブーツを収容するための、後面から上面に亘って開口する凹所を有するとともに、前記凹所及びブーツの後面側からみた断面形状は、上面側が高さ方向内部より狭くなって、前記凹所に収容したブーツが上に抜けるのを拘束するように互いに係合することを特徴とする光接続器。
【請求項２】
前記凹所及びブーツの後面側からみた断面形状は、上面側が高さ方向中間部より狭くなっていることを特徴とする請求項１記載の光接続器。
【請求項３】
前記凹所及びブーツの後面側からみた断面形状は、高さ方向中間部が底面側より狭くなっていることを特徴とする請求項１記載の光接続器。
【請求項４】
前記凹所の深さは、前記ブーツの厚みとほぼ同じであり、
前記ブーツの上面と前記フェルールの上面とがほぼ面一になるか、前記ブーツが前記フェルールの上面から盛り上がらない程度であることを特徴とする請求項１〜３のいずれか１項に記載の光接続器。
【発明の詳細な説明】
【技術分野】
【０００１】
この発明は、光ファイバの先端部に設けられる、例えば各種形状の光コネクタや光ファイバアレイなどの光接続器に関し、特に光ファイバの取付構造に関する。
【背景技術】
【０００２】
光ファイバテープの先端に取り付けられるいわゆるＭＴコネクタ（JIS C 5981のＦ１２形多心光ファイバコネクタに概ね相当）等の光コネクタでは、光ファイバテープはフェルール後面に開口する光ファイバテープ挿入穴から挿入されるが、その際、光ファイバテープにブーツを被せてブーツとともに光ファイバテープ挿入穴に挿入する。すなわち、ブーツの外周全体（断面全体）が光ファイバテープ挿入穴に収容される構造である。（特許文献１など）。
【０００３】
また、光ファイバテープを光導波路等に光接続する際に光ファイバテープの先端に設けられる光ファイバアレイの場合は、光ファイバテープから取り出した光ファイバを薄板状のアレイ本体に設けた整列溝に収容して位置決めしかつ接着剤を塗布し蓋を被せて固定し、そして、光ファイバテープの被覆部分も同じく接着剤を塗布し蓋を被せて固定する構造が一般的である。
【特許文献１】特開２００５−９９４７７の図１、図５等。
【発明の開示】
【発明が解決しようとする課題】
【０００４】
上記のＭＴコネクタは広く用いられているが、同様な基本構造でかつ薄型化を図ろうとする場合、ブーツの外周全体（断面全体）が光ファイバテープ挿入穴に収容される構造であるため、その部分（鍔とも言う）の厚みを薄くすることが困難であり、したがって、光コネクタの薄型化が困難であった。
【０００５】
また、一般に光ファイバアレイは薄板状なので、光ファイバテープにブーツを被せる構造とするとブーツの厚み分だけ盛り上がってしまうので取り付けることが難しく、したがって、接着剤での保護だけとなるので光ファイバテープの光ファイバアレイ後端近傍の保護を十分に図ることは必ずしも簡単ではなかった。
【０００６】
本発明は上記従来の欠点を解消するためになされたもので、光コネクタ等の場合であればその薄型化を図ることが容易であり、また、光ファイバアレイ等の場合であれば、薄板状であっても光ファイバテープの保護のためのブーツを設けることが可能な光接続器を提供することを目的とする。
【課題を解決するための手段】
【０００７】
上記課題を解決する請求項１の発明は、複数の光ファイバの先端部に設けられる光接続器であって、
複数の光ファイバの先端部に設けられるプラスチック製の接続器本体と、前記複数の光ファイバに被せて前記接続器本体に取り付ける弾性材製のブーツとを有し、前記接続器本体は、光ファイバから取り出した各光ファイバの裸ファイバを位置決めするための調心手段、及び、前記複数の光ファイバに被せた前記ブーツを収容するための、後面から上面に亘って開口する凹所を有するとともに、前記凹所及びブーツの後面側からみた断面形状は、上面側が高さ方向内部より狭くなって、前記凹所に収容したブーツが上に抜けるのを拘束するように互いに係合することを特徴とする。
【０００８】
請求項２の発明は、請求項１記載の光接続器において、凹所及びブーツの後面側からみた断面形状が、上面側が高さ方向中間部より狭くなっていることを特徴とする。
【０００９】
請求項３の発明は、請求項１記載の光接続器において、  凹所及びブーツの後面側からみた断面形状が、高さ方向中間部が底面側より狭くなっていることを特徴とする。
また、請求項３の発明は、請求項１〜３のいずれか１項に記載の光接続器において、前記凹所の深さは、前記ブーツの厚みとほぼ同じであり、
前記ブーツの上面と前記フェルールの上面とがほぼ面一になるか、前記ブーツが前記フェルールの上面から盛り上がらない程度であることを特徴とする。
【発明の効果】
【００１０】
本発明によれば、例えば光コネクタを薄型化するために光コネクタに適用した場合に、ブーツを収容する凹所が後面から上面に亘って開口しているので、ブーツの外周全体（断面全体）を光ファイバ挿入穴に収容する従来構造と比べて、フェルールの厚みを薄くすることができる。
また、光ファイバアレイに適用した場合には、同じくブーツを収容する凹所が後面から上面に亘って開口しているので、光ファイバにブーツを被せる構造としても、アレイ本体の厚みはあまり厚くならずに済む。したがって、光ファイバアレイにブーツを被せる構造を採用して、光ファイバの光ファイバアレイ後端近傍の保護を十分に図ることができる。
【００１１】
また、光ファイバに被せたブーツを凹所に収容する際、従来のように後面側の開口から挿入するのでなく、後面から上面に亘って開口する凹所の上面側から落とし込んで収容できるので、光ファイバの先端位置の確認が容易であり、光接続器組立の作業性が向上する。
【００１２】
なお、本発明の光接続器における凹所及びブーツの断面形状は、凹所に収容したブーツが上に抜けるのを拘束するように互いに係合する断面形状であるから、凹所の上面が開口していても、光ファイバ及びブーツが上に外れる恐れはない。
【発明を実施するための最良の形態】
【００１３】
以下、本発明を実施した光接続器について、図面を参照して説明する。
【実施例１】
【００１４】
図１は本発明の光接続器を光コネクタに適用した実施例を示すもので、光コネクタ１の斜視図、図２（イ）は図１の光コネクタ１の縦断面図、図２（ロ）は同平面図、図３は図２（ロ）のＡ−Ａ拡大断面図である。
同図において、２は複数本の光ファイバ３を並べて樹脂被覆を施した光ファイバ（以下、光ファイバテープと言う場合がある）である。光ファイバ３は裸ファイバ３ａに一次被覆を施したいわゆる光ファイバ素線である。光ファイバテープ２の被覆を４で示す。５はフェルール（接続器本体）である。このフェルール５はプラスチック成形品であり、光ファイバテープ２から取り出した各光ファイバ３の裸ファイバ３ａを挿入する光ファイバ穴６、及び、光ファイバテープ２に被せたゴム等の弾性材製のブーツ７を収容するための、後面から上面に亘って開口する凹所８を有している。この凹所の後面開口の断面形状はブーツの断面形状とほぼ同じである。そして、前記凹所８の断面形状は図３にも示すように、ブーツ７を載置する底面と、この底面の両側から立ち上がるアール面により構成されていて、上面開口の両縁部が内向きに突出（突出部を９で示す）している形状である。すなわち、凹所８は突出部９により上面側が高さ方向内部より狭くなった断面形状（図３で上面での幅Ｗ１＜内部の幅Ｗ２）とされている。また、図示例は上面側が高さ方向中間部より狭くなった断面形状でもある。この実施例の凹所８の深さはブーツ７の厚みとほぼ同じにしており、ブーツ７の上面とフェルール５の上面とがほぼ面一になるか、ブーツがフェルール５の上面から盛り上がらない程度にしている。また、同図にて紙面方向（接続方向）においてＷ１の幅は同じである。
なお、図示例の光コネクタ１のフェルール５は、凹所８と光ファイバ穴６との間に、光ファイバ３を貫通させる光ファイバ貫通穴１０、及び、光ファイバ穴６へのガイド溝１１ａを形成した凹部１１を備えている。裸ファイバ３ａは光ファイバ穴６内で接着固定される。ガイド溝１１ａのある凹部１１において、光ファイバ３は単に接着剤で固定するか、接着剤とともにガラス板で蓋をする形等で固定するとよい。
【００１５】
上記の光コネクタ１において、凹所８が後面から上面に亘って開口していても、上面のテープ幅方向両縁に突出部９があるので、光ファイバテープ２に被せたブーツ７が一旦凹所７に嵌め込まれた後は簡単に外れることはない。
そして、この光コネクタ１では、凹所８が後面から上面に亘って開口しているので、
ブーツの外周全体（断面全体）を光ファイバテープ挿入穴に収容する従来構造と比べて、フェルール５の厚みを十分薄くすることができる。
【００１６】
また、前記の通り、光ファイバテープ２に被せたブーツ７の部分は凹所８から簡単には外れないが、ブーツ７はゴム等の弾性材なので、光ファイバテープ２に被せたブーツ７を凹所８に収容する際、後面から上面に亘って開口する凹所の上面側から押し込むようにして落とし込んで収容することができる。このため、光ファイバの先端位置の確認が容易であり、光コネクタ組立の作業性が向上する。
【実施例２】
【００１７】
光ファイバテープ２に被せたブーツ部分が凹所から上に外れないための手段として、図４（イ）に示した光コネクタ２１のように、フェルール２５の凹所２８のテープ幅方向両側の側面にテープ長さ方向（図４で紙面と直交する方向）に延びる突起２８ａを形成し、ブーツ２７には前記突起２８ａが嵌合する溝２７ａを形成してもよい（すなわち、凹所２８の断面形状は、高さ方向中間部（溝２７ａのある部分）が底面側より狭くなっている）。この突起の断面形状は、例えばクサビ型等を採用することができる。溝１７ａの断面形状は、突起を収容する各種形状を採用することができる。
凹所２８側の突起２８ａとブーツ２７側の溝２７ａとが係合することで、光ファイバテープ２に被せたブーツ２７が簡単に上に外れる恐れはない。
【実施例３】
【００１８】
同じく光ファイバテープ２に被せたブーツ部分が凹所から上に外れないための手段として、図４（ロ）に示した光コネクタ３１のように、フェルール３５の凹所３８のテープ幅方向両側の側面にテープ長さ方向（図４で紙面と直交する方向）に延びる溝３８ａを形成し、ブーツ３７には前記溝３８ａが嵌合する突起３７ａを形成してもよい。これらの断面形状（溝３８ａ及び突起３７ａの断面形状）は溝及び突起の断面形状自体としては実施例２のものを採用することができる。
凹所３８側の溝３８ａとブーツ３７側の突起３７ａとが係合することで、光ファイバテープ２のブーツ３７部分が簡単に外れる恐れはない。
【実施例４】
【００１９】
図５は本発明の光接続器を光ファイバアレイに適用した実施例を示すもので、同図（イ）は光ファイバアレイ４１の縦断面図、同図（ロ）は同平面図である。図６は図５（イ）のＢ−Ｂ断面図である。
同図において、光ファイバテープ２は前記と同じである。４５はアレイ本体（接続器本体）である。このアレイ本体４５はプラスチック成形品であり、光ファイバテープ２から取り出した各光ファイバ３を整列位置決めする整列溝（調心手段）４６、及び、光ファイバテープ２に被せたブーツ７を収容するための、後面から上面に亘って開口する凹所４８を有している。凹所４８及びブーツ７の部分は、図１〜図３の実施例と同様である。
前記整列溝４６は、図６に示すように、コ字形の凹部４９内に形成しており、この凹部４９内の整列溝４６に光ファイバ３を収容した後、接着剤を塗布し蓋５０を被せることで、光ファイバ３を固定している。
この光ファイバアレイ４１で整列保持された各光ファイバ３は、例えば、平面型光導波路（光デバイス）の光路に対向させる。
【００２０】
上記のように本発明を光ファイバアレイ４１に適用した場合でも、やはりブーツ７を収容する凹所４８が後面から上面に亘って開口しているので、光ファイバテープ２にブーツ７を被せる構造としても、アレイ本体４５の厚みはあまり厚くならずに済む。
したがって、光ファイバアレイにブーツ７を被せる構造を採用して、光ファイバテープ２の光ファイバアレイ後端近傍（図５に矢印ａで示す部分）の保護を十分に図ることができる。
なお、以上の各実施例では光ファイバとして多心の光ファイバテープに基づいて説明したが、扁平横長断面の光ファイバテープでなくとも本発明を実施することができる。
【００２１】
ここで光接続器について説明をすると、本発明の実施例では規格化されたＭＴフェルール形状に類似した光コネクタその他を例示したが、本発明においては光接続器という用語は広義に用いることができる。
すなわち、光ファイバの端部から入出射する光を他の光ファイバや光素子と結合する機能を有するものを総称する用語として用いている。
光素子とは、例えばホトダイオード、発光ダイオード、レーザダイオードなどの半導体光デバイスなどである。
光接続器の接続端面からの入出射光をこれらの半導体光デバイスと光軸を合わせて接続する素子を光接続器ということができる。
したがって、光ファイバ方向と半導体光デバイスとの光軸方向が異なっていても、これらを整合する機能を有するものは本発明の光接続器である。
【図面の簡単な説明】
【００２２】
【図１】本発明の光接続器を光コネクタに適用した実施例を示すもので、光コネクタの斜視図である。
【図２】（イ）は図１の光コネクタの縦断面図、（ロ）は同平面図である。
【図３】図２（ロ）のＡ−Ａ拡大断面図である。
【図４】（イ）、（ロ）はいずれもブーツの断面形状の変形例を示すもので、図３に対応する図である。
【図５】本発明の光接続器を光ファイバアレイに適用した実施例を示すもので、（イ）は光ファイバアレイの縦断面図、（ロ）は同平面図である。
【図６】図５（イ）のＢ−Ｂ断面図である。
【符号の説明】
【００２３】
１  光コネクタ（光接続器）
２  光ファイバテープ（光ファイバ）
３  光ファイバ素線（光ファイバ）
３ａ  裸ファイバ（光ファイバ）
４  被覆（光ファイバテープの被覆）
５、２５、３５  フェルール（光接続器本体）
６  光ファイバ穴（調心手段）
７、２７、３７  ブーツ
２７ａ  溝
３７ａ  突起
８、２８、３８  凹所
２８ａ  突起
３８ａ  溝
９  突起
１０  光ファイバ貫通穴
１１  ガイド溝を持つ凹部
１１ａ  ガイド溝
４１  光ファイバアレイ（光接続器）
４５  アレイ本体（光接続器本体）
４６  整列溝（調心手段）
４８  凹所
【図１】
0004711301.tif 000002
【図２】
0004711301.tif 000003
【図３】
0004711301.tif 000004
【図４】
0004711301.tif 000005
【図５】
0004711301.tif 000006
【図６】
0004711301.tif 000007